(57)【要約】【課題】  太陽の高低差を利用することで、太陽光を用いた蓄熱式換気を年間を通じて、手間もコストもかけずにかつ確実に可能とすることを目的とする。【解決手段】空気通路の一部に形成した透光部を通して該一部に内装した蓄熱媒体に太陽光を照射させることが可能とした換気システムにおいて、夏季及び冬季の太陽の高低差を利用して上記透光部10を介して冬季には太陽光が入射され、夏季には入射されないようにする入光量制御手段40を設けた。【選択図】  図１
2005282942.tif 000002
【特許請求の範囲】
【請求項１】
空気通路の一部に形成した透光部を通して該一部に内装した蓄熱媒体に太陽光を照射させることが可能とした換気システムにおいて、夏季及び冬季の太陽の高低差を利用して上記透光部10を介して冬季には太陽光が入射され、夏季には入射されないようにする入光量制御手段40を設けたことを特徴とする、蓄熱式換気システム。
【請求項２】
上記空気通路１の一部を、少なくとも前面が屋外に面した箱体４として、該箱体前面に透明板で形成する透光部10を設け、該透光部10から光が届く範囲に少なくとも一つの蓄熱媒体14を配置し、かつ上記箱体４の適所に外気導入口20と空調エリアへの連通口22とを開口したことを特徴とする、請求項１記載の蓄熱式換気システム。
【請求項３】
上記入光量制御手段40として、斜上方乃至斜側方からの直射太陽光を遮る板状第１遮光体40A,40Bを、透光部10の周囲に設置したことを特徴とする、請求項１又は請求項２の何れかに記載した蓄熱式換気システム。
【請求項４】
上記入光量制御手段40として、透光部10周囲の物体からの間接光の照返しを阻止する板状第２遮光体40Cを、上記透光部10の前方側に設置したことを特徴とする、請求項１乃至請求項３の何れかに記載した蓄熱式換気システム。  
【請求項５】
上記入光量制御手段40として、上記透光部10の表面に沿って配置した日射制御用ルーバー40Ｄを設けたことを特徴とする、請求項１乃至請求項４の何れかに記載した蓄熱式換気システム。    
【請求項６】
上記日射制御用ルーバー40Ｄを、手動乃至自動による羽根板41の傾斜角調節が可能としたことを特徴とする、請求項５記載の蓄熱式換気システム。
【請求項７】
上記蓄熱媒体14として、融点が相違する潜熱蓄熱素材をそれぞれ収納した異種の蓄熱媒体を用いたことを特徴とする、請求項１乃至請求項６の何れかに記載した蓄熱式換気システム。
【請求項８】
上記箱体４内を空気が蛇行して通過するように流路規制用の補助送風手段46乃至仕切り板44を設け、その蛇行する流路に沿って複数の上記蓄熱媒体14…を配置したことを特徴とする、請求項２乃至請求項７の何れかに記載した蓄熱式換気システム。
【請求項９】
上記外気導入口20と連通口22と空調エリア104とにそれぞれ温度センサ34,36,38を設置し、これらセンサによる測定温度と、空調エリアの設定温度とから、空調エリア104に設置した全熱交換器48のオンオフ切替と送風量とを制御するように構成したことを特徴とする、請求項２乃至請求項８の何れかに記載した蓄熱式換気システム。
【発明の詳細な説明】
【技術分野】
【０００１】
本発明は、蓄熱式換気システムに関する。
【背景技術】
【０００２】
換気システムにおいて、自然環境から取り出した冷温熱を潜熱蓄熱材に蓄えて冷暖房に利用することは従来から行われている（特許文献１）。この様な自然エネルギー利用型のシステムのうち、特に太陽光を有効利用するため、換気システムの外気導入路一部に形成した透光部から入射した太陽光を、上記外気導入路内に設置した潜熱蓄熱材で受光して温熱を蓄熱する装置を使用するものが知られている（特許文献２）。
【特許文献１】特開２００２−１１５３４３号
【特許文献２】特開平９−１４５１６５号
【発明の開示】
【発明が解決しようとする課題】
【０００３】
上記特許文献２の装置は、冬期に温熱を発生するものであり、該装置を夏冬兼用のシステムに使用するときには夏季の太陽光線の入射を避けるためにカバーなどをかける必要があるが、年に一度カバーを掛けたり、外したりするのは忘れ易く、却って煩わしい。又、透光部への太陽光線の入射状況を電子機器などで制御することも可能であるが、それではメンテナンスなどで更に面倒であり、又無用のコストを生じる。
【０００４】
そこで本発明は、太陽の高低差を利用することで、太陽光を用いた蓄熱式換気を年間を通じて、手間もコストもかけずにかつ確実に可能とすることを目的とする。
【課題を解決するための手段】
【０００５】
第1の手段は、空気通路の一部に形成した透光部を通して該一部に内装した蓄熱媒体に太陽光を照射させることが可能とした換気システムにおいて、夏季及び冬季の太陽の高低差を利用して上記透光部10を介して冬季には太陽光が入射され、夏季には入射されないようにする入光量制御手段40を設けている。
【０００６】
第２の手段は、上記第1の手段を有し、かつ上記空気通路１の一部を、少なくとも前面が屋外に面した箱体４として、該箱体前面に透明板で形成する透光部10を設け、該透光部10から光が届く範囲に少なくとも一つの蓄熱媒体14を配置し、かつ上記箱体４の適所に外気導入口20と空調エリアへの連通口22とを開口している。
【０００７】
第３の手段は、上記第1の手段乃至第２の手段のいずれかを有し、かつ上記入光量制御手段40として、斜上方乃至斜側方からの直射太陽光を遮る板状第１遮光体40A,40Bを、透光部10の周囲に設置している。
【０００８】
尚、板状第１遮光体としては、少なくとも上記透光部10の上側から庇状に前方突出する、上方遮光体40Ａを設けるものとし、又、必要に応じて、透光部10の前側方に設置した側方遮光体40Bを設ければよい。
【０００９】
第４の手段は、上記第1の手段乃至第３の手段のいずれかを有し、かつ上記入光量制御手段40として、透光部10周囲の物体からの間接光の照返しを阻止する板状第２遮光体40Cを、上記透光部10の前方側に設置した。
【００１０】
第５の手段は、上記第1の手段乃至第４の手段のいずれかを有し、かつ上記入光量制御手段40として、上記透光部10の表面に沿って配置した日射制御用ルーバー40Ｄを設けた。      
【００１１】
第６の手段は、上記第５の手段を有し、かつ上記日射制御用ルーバー40Ｄを、手動乃至自動による手動による羽根板41の傾斜角調節が可能としている。
【００１２】
尚、手動の場合には、適当な離間した時期ごと（例えば月ごと）の好適な羽根板の角度を示す目盛りを付けた目盛り手段を目安に利用者が角度を調整できることとすることが望ましく、又、自動の場合には、タイマーと連動した角度調節手段により好適な時期ごとに当該角度を調整するように設けると良い。
【００１３】
第７の手段は、上記第1の手段乃至第６の手段のいずれかを有し、かつ上記蓄熱媒体14として、融点が相違する潜熱蓄熱素材をそれぞれ収納した異種の蓄熱媒体を用いている。
第８の手段は、上記第２の手段乃至第７の手段のいずれかを有し、かつ上記箱体４内を空気が蛇行して通過するように流路規制用の補助送風手段46乃至仕切り板44を設け、その蛇行する流路に沿って複数の上記蓄熱媒体14…を配置している。
【００１４】
第９の手段は、上記第２の手段乃至第８の手段のいずれかを有し、かつ上記外気導入口20と連通口22と空調エリア104とにそれぞれ温度センサ34,36,38を設置し、これらセンサによる測定温度と、空調エリアの設定温度とから、空調エリア104に設置した全熱交換器48のオンオフ切替と送風量とを制御するように構成している。
【発明の効果】
【００１５】
本発明は上記構成のものであり、第1の手段に係る発明は次の効果を奏する。
○夏季と冬季の太陽の高低差を利用して、太陽光線の入射させ或いは遮断するから、人手がかからず、低コストで行うことが出来る。
○太陽高度を利用した簡単な構造だから、故障を起し難く、確実性が高い。
【００１６】
第２の手段に係る発明では、箱体４内に蓄熱媒体を収容してユニット化したので、現場への設置作業が容易である。
第３の手段に係る発明では、入光量制御手段として上方乃至側方からの直射太陽光を遮るようにしており、日中の直射光の他、必要により、夏季でも低高度から入射する西日なども確実に遮断することができる。
第４の手段に係る発明では、更に周囲の物体からの間接光の照返しを阻止する板状第２遮光体40Ｃを設けており、これにより太陽光の進入をより完全に排除できる。
この板状第２遮光体40Ｃは、例えば既述箱体４を設置した面から、上記透光部10に対向させて起立することができる。
第５の手段に係る発明では、上記透光部10に沿って日射制御用ルーバー40Ｄを設けることで、上記板状第1遮光体としての庇などを設ける場合に比べて、より簡易かつ確実に太陽光を遮断できる。
第６の手段に係る発明では、上記日射遮蔽用のルーバーを羽根板41の傾斜角調節可能としたから、季節外れの寒暖に応じて上記手動で開閉をすることで、効率良い換気が可能となり、更に又冬季中において日射量が最大となるように手動乃至自動で傾斜角度を調整することもできる。
第７の手段に係る発明では、融点の異なる潜熱蓄熱素材を用いることにより、より広範囲な外気温度と日射量の変化に対応させることができ、換気システムの有効性を高めることができる。
【００１７】
第８の手段に係る発明では、箱体内の導入外気の蛇行通路に沿って複数の蓄熱媒体14…を配置したから、空気との熱交換効率が高い。
第９の手段に係る発明では、全熱交換器48を利用可能に構成しているので、更に省エネルギー化を図ることができる。
【発明を実施するための最良の形態】
【００１８】
図１乃至図４は本発明の第1の実施形態に係る換気システムを示している。
【００１９】
本システムは、蓄熱装置付きの空気通路１と、送風手段26と、制御手段30と、入光量制御手段40とで構成されている。まず該構成のうち公知の部分について説明する。
【００２０】
空気通路１は、建物101南側のバルコニー102などに設置した、中空の箱体４で画成させた蓄熱装置２の内部と、該蓄熱装置箱体４の一部（図示例では前板５）を貫通して開口した外気導入口20と、箱体の後板６から建物外壁を貫いて空調エリア104へ開通させた連通口22とで構成されている。
【００２１】
上記蓄熱装置２は、縦長の箱体４の前板のうち下端部を除く部分を、好ましくは南向きとした透明板で形成して透光部10としている。該透光部を除く箱体内面には断熱材（図示せず）を内張りすることが望ましい。上記箱体４の左右側板8,8間には、蓄熱媒体支持材12としての棚板が上下に複数段架設され、これら各棚板上に、複数の蓄熱媒体14…を、これら蓄熱媒体14の前後に縦方向の空気流路16…を存して配置できるように設けている。もっとも蓄熱媒体支持材12は上記空気流路を確保しながら多数の蓄熱媒体14を支持できるものであればどのような構造のものでも良い。各蓄熱媒体は、黒色など日射吸収率の高い容器に蓄熱材料を封入させたものである。その蓄熱素材は、潜熱蓄熱素材とすることが望ましく、特にその融点が20〜25℃のものを用いると良い。もっとも潜熱蓄熱材以外の蓄熱材料（例えば水）を用いることも可能である。
【００２２】
該蓄熱装置２は、冬季昼間に図１の如く上記蓄熱媒体14が受光したエネルギーの一部を送風の温度上昇に用いて残りを蓄熱し、かつ図３の如く夜間に該温熱を弱風により回収させ、又図４の如く夏季夜間の外気を大風量で吸引して蓄熱媒体14に冷熱を蓄え、夏季昼間に該冷熱を図１の如く弱風により回収するように構成している。尚、該夏季昼間には上記透光部10は後述の入光量制御手段により遮蔽されている。
【００２３】
上記外気導入口20は、上記箱体４の前板下端部に開口している。
【００２４】
上記連通口22は箱体４の後板６上端部及び建物外壁の対応部分を貫通して室内の空調領域に連通している。
【００２５】
送風手段26は、送風ファンであり、図示例では上記連通口22内に配置している。
【００２６】
制御手段30は、図示例では箱体４の頂板７上に設置された制御装置32と、上記外気導入口20に設置された第1の温度センサ34とを有し、該温度センサにより測定された外部温度に対応して上記送風手段26の送風量を制御するように構成している。更に、空調エリア104内に図示しない第２の温度センサを設置して、室内温度が下がり過ぎないように送風量の下限値を設けても良い。又、風量を手動で切替できるようにしても良い。
【００２７】
本発明においては、上記透光部10からの太陽光線の入射を入光量制御手段40によって規制している。この入光量制御手段40は、季節間の太陽高度θの差を利用して太陽光線を規制するものである。
【００２８】
一般に冬至１及び夏至２における太陽高度の最大値θ1max，θ2maxは、本システムを設置する地点の緯度をα、地軸傾斜角をβ（＝23.5°）とすると、次式で与えられる。
【００２９】
［数式１］    θ1max＝90°−α−β
【００３０】
［数式２］    θ2max＝90°−α＋β
この式によれば、太陽光の高度差は最大で地軸傾斜角の２倍（47°）もあり、この高度差を利用して、夏季に透光部への太陽光の入射を遮断しつつ、冬季の入射光量が最大となるという設計仕様を満たすように入光量制御手段を構成する。
【００３１】
本実施形態では、入光量制御手段40として、直射太陽光を遮る板状第１遮光体40Ａと、間接光を生ずる照返しを防ぐ板状第２遮光体40Ｃとを設けている。
【００３２】
図示の第１遮光体40Ａは、上記蓄熱装置２上方の建物101外壁部分から庇状に突出する上方遮光体であり、その庇の突出長さ及び設置高さは、上記透光部10との上下巾及び位置とに対応させて上記設計仕様を満たすように決定する。
【００３３】
具体的には、図１に示す如く、上記透光部10の開口周縁のうち上縁部前端a及び下縁部後端bをそれぞれ入射角をθ1、θ2で通過する斜行直線Ｌ1及びＬ2を描き、これら両直線の交点cが上記上方板状遮光体40Ａの前端面下縁と一致するようにすればよい。入射角θ1は冬至の最低太陽高度θ1maxより大きく、又、θ2は夏至の最高太陽高度θ2maxよりも小さく余裕を持って設計することが重要である。どの程度の余裕をとるべきかは後述する。尚、上記板状第１遮光体は、庇に限るものではなく、マンションのバルコニーなど既存建物の構造を適宜利用することができる。
【００３４】
上記入射角を求めるためには、図５に示す如く南向きの透光部10へ入射する太陽光線を南北面S0へ投射したときの高度（以下実質高度という）θ*が必要となる。図５はその手順を示すものであり、三角形ＳＰＯとこれを南北面Ｓ0に投射した三角形Ｓ’Ｐ’Ｏとの幾何学的関係から、次式が得られる。
【００３５】
［数式３］      θ*＝tan−1（Ｓ’Ｐ’／Ｐ’Ｏ）＝tan−1（tanθ／cosφ）
表１及び表２は、日中の各時刻における太陽光線の方位角φ、太陽高度θ、及びこれらから上記数式３より計算した実質高度θ*を、夏至から１月づつ離れた各日について示したものである。尚、これらの数値は東京（東経139.8、北緯35.7）について計算した理論値である。
【００３６】
【表１】
2005282942.tif 000003
【００３７】
【表２】
2005282942.tif 000004
【００３８】
図６は、上記表１及び表２に基づいて夏至、春分、及び冬至における南中時から日没までの太陽の位置を南北面上に表したものである。この図によれば、夏至において太陽は東西面Ｓ1を横切って左から右へ移動しているから、太陽の実質高度θ*は、南中時（大凡12時）に最も小さく、その後日没に至るまで徐々に大となることが分る。日の出から南中までの間の太陽の動きは、南北面に対して面対象に表れるため、結局南中時の実質高度θ*minが一番低いこととなる。従って南中時の太陽光線が遮断するように庇の突出長を定めれば、仮にこの庇が東西に十分長いものであれば日中の太陽光を全て遮断することができる。
【００３９】
同様のことが春分から秋分に至る期間で生じているため、例えば四月上旬の南中時の実質高度θ*を60°とすると、図１において、θ2を60°に設定すれば四月上旬から９月中旬は日射が透光部10に全く当たらないこととなる。
【００４０】
又、秋分から春分に至る期間は、一日のうち南中時の実質高度が最大である。このため、日射熱を終日取得したい期間の最高の実質高度を求めれば、これを図１のθ2に代入すれば、その期間中の全ての時間において透光部10に太陽光が入射されることとなる。例えば10月下旬から２月下旬の期間では、40°という如くである。
【００４１】
尚、実際の庇（上方遮光体）の横幅は有限なので、低高度から入射する西日や朝日を遮ることができない。そこで第1遮光手段として、上記上方遮光体40Ａの他に、図１及び図２に想像線で示す如く、側方遮光体40Ｂを設けてもよい。該側方遮光体40Ｂは、上記蓄熱装置２の前側方を覆うように起立する衝立型の遮光板とすることができ、又、既存の集合住宅のバルコニーの仕切り板などで兼用することもできる。尚、周囲の環境より西日などが差さない場所では、この側方遮光体40Ｂを設ける必要はない。
【００４２】
第２遮光体40Ｃは、バルコニー上面などからの照返しによる間接光を生じさせないようにするためのものである。図示例では、既述透光部10前方のバルコニー102部分上面から、手すりを兼ねた第２遮光体を起立している。該第２遮光体は、図１に示す如く冬季の透光部10への太陽光線の入射を妨げず、かつ夏季のバルコニー102上面で反射した光線をほぼ遮断するように設ける。
【００４３】
下記の表１は、図１における透光部10前面と上方遮光体40Ａ前端面との前後方向距離ｄ、上方遮光体40Ａの下面と上記透光部10上縁との間隙の長さｇ、及び透光部10の上下両縁の高低差ｈを、事例１から事例21まで様々に変更したときの南向き鉛直の透光部への直達日射量の測定データを示している。この表によれば透光部及び第一遮光体の設計仕様を適宜変更することで夏季の入光量を零にしながら、冬季の入光量を十分に確保できることが分る。
【００４４】
【表３】
2005282942.tif 000005
【００４５】
次に本実施形態の他の特徴について説明する。図２などに示す通り、既述箱体４の内部には、前方(透光部10近傍)から後方へ３列の蓄熱媒体群14A,14B,14Cを配列している。この場合に、冬季の太陽光線受光により蓄熱をするのは、主として最前列の蓄熱媒体群14Ａであり、他の蓄熱媒体群14B、14Cは、主として冬季日中乃至夏季夜間の外気導入による温冷熱の蓄熱のために使用される。この場合、蓄熱媒体の表面を黒く塗装して日射吸収率を高めるなどの処理は、最前列の蓄熱媒体に対してのみ行えば良い。
【００４６】
又、このとき、最前列の蓄熱媒体列14Ａの融点を20℃前後、その他の蓄熱媒体列14B,14Cの融点を25℃前後とするとよい。融点が20℃前後の蓄熱素材としてカプリン酸・ラウリン酸混合物やカプリン酸・ミリスチン酸混合物があり、又、融点が25℃前後の蓄熱素材としてカプリン酸・ステアリン酸混合物や塩化カルシウム水和塩が好適である。上記構成により、冬季昼間の太陽光入射の際には、太陽エネルギーから温熱をとって、低融点の蓄熱媒体群14Ａに効率良く蓄えて該蓄熱を夜間に回収することができ、又、夏季夜間にも、外部冷気から冷熱をとって、高融点の蓄熱媒体群14B、14Ｃに効率良く蓄えることができる。
【００４７】
以下、本発明の他の実施形態を説明するが、該構成のうち第１実施形態と同一の事項については同一符号を付することで説明を省略する。
【００４８】
図７及び図９は、本発明の第２の実施形態を示している。
【００４９】
本実施形態は、既述入光量制御手段40として、上記蓄熱装置２の透光部10に、複数の羽根板41からなるルーバー40Ｄを設けたものである。それら羽根板の角度は手動により調整可能とすることが望ましい。これについては、後述する。
【００５０】
上記羽根板41の傾斜角度及び巾は次のように設計する。羽根板41の傾斜角度は、冬季のある期間の太陽高度の平均値θとすればよく、これにより当該期間における羽根板41による影面積の合計を最小として入射光量を最大とすることができる。例えば10月下旬から２月下旬の９時〜15時であれば、30°程度という如くである。この数値は冬至における太陽の南中高度とほぼ同じである。尚、冬至におけるに日射量を多くするため、例えば羽根板41の角度を27°程度とすることもできる。又、各羽根板の間隔と長さは、ある羽根板Ｆ1の後端部０1と隣接する上方羽根板Ｆ2の先端部Ｎとを通る光線の角度θ2について、前述の庇の場合と同様に決定すればよい。
【００５１】
次の表４は、既述表３と同様にルーバの図８における各寸法を様々に変更した場合の日射量を示したデータである。これらのなかでは例えば事例８（θ1＝27°、θ2＝56°）などの設定が夏季の遮光及び冬季の透光の各機能が明瞭で好適である。
【００５２】
【表４】
2005282942.tif 000006
【００５３】
尚、既述庇状の遮光体に比べてルーバーの場合には羽根板の角度等を設定してもある程度の影ができるため、冬季の日射量を最大とするためには手動乃至自動で羽根板の傾斜角度を調整することが望ましい。既述表２によれば、12月22日（冬至）における午前９時から12時迄の間の実質高度は24.7〜30.8°、11月22日では28.8〜34.3°、10月22日では40.3〜43.5°であり、それぞれの各平均値は約28°、32°、42°であってそれぞれにかなりの差がある。そこで例えば12月、11・１月、10・２月のそれぞれの日射角度の平均値に、羽根板の傾斜角度を月に一度調整すれば良い。
【００５４】
図９は、第２実施形態の変形例であって、上述の各月毎の好ましい羽根板41の傾斜角の目盛り43ａを示す目盛り板43の構成を示している。この目盛り板は例えばルーバー40Ｄの羽根板41端面に沿って吊下げるように構成しており、目盛りに沿って羽根板の角度を手動で調整できるようにしている。尚、図示例では、該目盛り板は、側外方より透視して目盛りと羽根板とを角度合わせ可能な透明板としているが、必ずしもこのような構造にする必要はない。又図示例と異なり、自動で羽根板の角度調節をする場合には、例えば月毎の好ましい羽根板41の傾斜角度を記憶した制御装置及び該制御装置からの指令に従って羽根板41の角度を変える角度調整装置を、図７及び図８の構成に加えれば良い。尚、上記は日射取得熱量を最大にする方法であるが、地域によっては暖房負荷の大きくない10月、11月などはむしろルーバーの角度調整によって日射を遮ってもよい。
【００５５】
図10は、本発明の第３の実施形態を示している。この実施形態は、箱体４の底板及び天板からそれぞれ流路形成用の仕切り板44…を互い違いにかつ既述複数列（図示例では３列）の蓄熱媒体14Ａ、14Ｂ…の間に突出したものであり、これにより箱体４内部に蛇行流路に沿って蓄熱媒体を配置することができ、蓄熱を効率良く回収することができる。
【００５６】
図11は、本発明の第４の実施形態を示している。この実施形態は、第３実施形態における仕切り板44に代えて、補助送風手段46としての送風ファンを箱体４の頂板下面中央に設置したものである。該構成によれば、冬季の日中に外気導入口20から箱体４内へ入った外気は、最前列の蓄熱媒体群14Ａへの日射によって暖められて上昇するが、この空気を上記送風ファンが攪拌し、蓄熱媒体群14Ｂ、14Ｃに対しても十分な蓄熱を行ったあと外部へ排出される。
【００５７】
図12は、本発明の第５の実施形態を示している。本実施形態は、既述の換気システムの構成と全熱交換器48とを設けたものである。本実施形態では、箱体４の連通口22から建物101を貫いて外方へ開口する送風ダクト50を設けるとともに、空調エリア104を通る送風ダクト部分の一部に全熱交換器48を設け、箱体４の外気導入口20と連通口22と空調エリア104とにそれぞれ第1、第2、第3温度センサ34,36,38を設置し、これらセンサで測定した温度と設定温度とから、制御装置32が全熱交換器のオンオフ切替を可能に構成したものである。
【図面の簡単な説明】
【００５８】
【図１】本発明の第1の実施形態に係る換気システムの側面図である。
【図２】図１のシステムの斜視図である。
【図３】図１のシステムの夏季夜間の放熱状態を示す説明図である。
【図４】図１のシステムの冬季日中の放熱状態を示す説明図である。
【図５】図1のシステムの原理を示す説明図である。
【図６】図1のシステムの原理を示す他の説明図である。
【図７】本発明の第２の実施形態に係る換気システムの主要部の断面図である。
【図８】図７のシステムの要部拡大図である。
【図９】図７のシステムの変形例の要部斜視図である。
【図１０】本発明の第３の実施形態に係る換気システムの主要部の断面図である。
【図１１】本発明の第４の実施形態に係る換気システムの主要部の断面図である。
【図１２】本発明の第５の実施形態に係る換気システムの主要部の断面図である。
【符号の説明】
【００５９】
１…空気通路  ２…蓄熱装置  ４…箱体  ５…前板  ６…後板 ７…頂板  
８…左右側板  10…透光部  12…蓄熱媒体支持材  14…蓄熱媒体  
14A,14B,14C…蓄熱媒体群  16…空気流路
20…外気導入口  22…連通口  26…送風手段
30…制御手段  32…制御装置  34…第１温度センサ    36…第２温度センサ
38…第３温度センサ
40…入光量制御手段  40A,40B…板状第１遮光体  40Ｃ…板状第２遮光体
40Ｄ…ルーバー  41…羽根板  43…目盛り板  43a…目盛り  44…仕切り板  
46…補助送風手段  48…全熱交換器  50…ダクト
101…建物  102…バルコニー 103…外壁  104…空調エリア
ａ…透光部上縁部分前端  ｂ…透光部下縁部分後端  ｃ…交点
【図１】
2005282942.tif 000007
【図２】
2005282942.tif 000008
【図３】
2005282942.tif 000009
【図４】
2005282942.tif 000010
【図５】
2005282942.tif 000011
【図６】
2005282942.tif 000012
【図７】
2005282942.tif 000013
【図８】
2005282942.tif 000014
【図９】
2005282942.tif 000015
【図１０】
2005282942.tif 000016
【図１１】
2005282942.tif 000017
【図１２】
2005282942.tif 000018